(57)【要約】【課題】  長尺重量物を狭スペースの建屋内外に狭い入口を介して搬入又は搬出したり、また、建屋内外の搬送路周囲の障害物を避けながら搬送することができる長尺重量物の搬送方法を提供する。【解決手段】  入口１３が狭く内部が狭スペースの建屋１１内に長尺重量物１２を搬入又は搬出する方法であって、旋回を含む任意の方向に走行可能な一台の縦長の搬送台車１４に設けられた旋回台１５に、搬送台車１４の全長より長い長尺重量物１２を旋回台１５上にその重心位置を合わせて搭載し、搬送台車１４の走行及び旋回台１５の旋回を同時又は交互に制御して、周囲の障害物２９〜３２を避けながら搬送し、旋回台１５上への長尺重量物１２の搭載及び荷下しには、建屋１１内に外部から進入可能な揚重装置４０を使用する。【選択図】        図５
2005205985.tif 000002
【特許請求の範囲】
【請求項１】
入口が狭く内部が狭スペースの建屋内に長尺重量物を搬入又は搬出する方法であって、
旋回を含む任意の方向に走行可能な一台の縦長の搬送台車に設けられた旋回台に、前記搬送台車の全長より長い前記長尺重量物を前記旋回台上にその重心位置を合わせて搭載し、前記搬送台車の走行及び前記旋回台の旋回を同時又は交互に制御して、前記建屋及び周囲の障害物を避けながら前記長尺重量物を搬送し、前記旋回台上への前記長尺重量物の搭載及び荷下しには、前記建屋内に外部から進入可能な揚重装置を使用することを特徴とする長尺重量物の搬送方法。
【請求項２】
旋回を含む任意の方向に走行可能な一台の縦長の搬送台車と、該搬送台車に設けられ、該搬送台車の全長より長い長尺重量物をその重心位置を合わせて搭載して旋回可能な旋回台とを備えた長尺重量物の搬送装置を使用し、前記搬送台車の走行及び前記旋回台の旋回を同時又は交互に制御して、しかも、前記旋回台上への前記長尺重量物の搭載及び荷下しには、建屋内に外部から侵入可能な揚重装置を使用して、入口が狭く内部が狭スペースの前記建屋内に、周囲の障害物を避けながら前記長尺重量物を搬入又は搬出する長尺重量物の搬送方法であって、
前記搬送台車の走行により、該搬送台車を前記建屋内に進入させ、前記長尺重量物が配置された近傍まで移動する台車進入工程と、
前記揚重装置を前記建屋内に進入させる第１の揚重装置進入工程と、
前記揚重装置により前記長尺重量物を吊り上げて前記旋回台に搭載する長尺物撤去工程と、
前記揚重装置を前記建屋外に退出させる第１の揚重装置退出工程と、
前記搬送台車の走行及び前記旋回台の旋回により、前記長尺重量物を前記建屋外に搬出する長尺物搬出工程とを有することを特徴とする長尺重量物の搬送方法。
【請求項３】
請求項２記載の長尺重量物の搬送方法において、前記長尺物搬出工程の後、
前記揚重装置により新しい前記長尺重量物を吊り上げて前記旋回台に搭載する長尺物搭載工程と、
前記搬送台車の走行及び前記旋回台の旋回により、新しい前記長尺重量物を前記建屋内に搬入し、該長尺重量物が設置される近傍まで移動する長尺物搬入工程と、
前記揚重装置を前記建屋内に進入させる第２の揚重装置進入工程と、
前記揚重装置により新しい前記長尺重量物を吊り上げて設置位置に荷下しする長尺物設置工程と、
前記揚重装置を前記建屋外に退出させる第２の揚重装置退出工程と、
前記搬送台車の走行により、前記搬送台車を前記建屋外に退出させる台車退出工程とを有することを特徴とする長尺重量物の搬送方法。
【請求項４】
旋回を含む任意の方向に走行可能な一台の縦長の搬送台車と、該搬送台車に設けられ、該搬送台車の全長より長い長尺重量物をその重心位置を合わせて搭載して旋回可能な旋回台とを備えた長尺重量物の搬送装置を使用し、前記搬送台車の走行及び前記旋回台の旋回を同時又は交互に制御して、しかも、前記旋回台上への前記長尺重量物の搭載及び荷下しには、建屋内に外部から侵入可能な揚重装置を使用して、入口が狭く内部が狭スペースの前記建屋内に、周囲の障害物を避けながら前記長尺重量物を搬入する長尺重量物の搬送方法であって、
前記揚重装置により前記長尺重量物を吊り上げて前記旋回台に搭載する長尺物搭載工程と、
前記搬送台車の走行及び前記旋回台の旋回により、前記長尺重量物を前記建屋内に搬入し、該長尺重量物が設置される近傍まで移動する長尺物搬入工程と、
前記揚重装置を前記建屋内に進入させる揚重装置進入工程と、
前記揚重装置により前記長尺重量物を吊り上げて設置位置に荷下しする長尺物設置工程と、
前記揚重装置を前記建屋外に退出させる揚重装置退出工程と、
前記搬送台車の走行により、前記搬送台車を前記建屋外に退出させる台車退出工程とを有することを特徴とする長尺重量物の搬送方法。
【発明の詳細な説明】
【技術分野】
【０００１】
本発明は、例えば、廃棄物処理に使用する長尺で重い乾燥炉等の長尺重量物を搬送する際、建屋の狭い入口から搬出又は搬入し、建屋内外の周囲の障害物を避けながら長尺重量物を搬送する長尺重量物の搬送方法に関する。
【背景技術】
【０００２】
従来、狭いスペースにおいて、周囲の障害物を避けるため、搬送物を所定の搬送方向に旋回させることのできる搬送台車が使用されている。
例えば、特許文献１に示すように、塔槽類等の長尺重量物を搬送する作業において、コーナー部や搬送路の周辺の障害物等を避けて、長尺重量物を方向転換する場合のデッドスペースを狭小化するため、搬送台車上に設置された旋回台を介して長尺重量物を回転させることができる。
【０００３】
【特許文献１】実開平５−５５６４号公報（図１、図２及び図７）
【発明の開示】
【発明が解決しようとする課題】
【０００４】
しかしながら、前記従来の長尺重量物の搬送方法においては、未だ解決すべき以下のような問題があった。
旋回台を旋回することにより長尺重量物を所定の移載方向に向けることができても、搬送台車自体の移動が限定されるので、即ち、搬送台車の回転半径が大きいので、デッドスペースが大きくならざるを得なかったため、例えば、狭スペースの建屋内に設置された長尺重量物を、建屋の狭い入口から搬出又は搬入したり、また、建屋内外の搬送路周囲の障害物を避けながら搬送して取り替えることができなかった。
【０００５】
本発明はかかる事情に鑑みてなされたもので、長尺重量物を狭スペースの建屋内外に狭い入口を介して搬入又は搬出したり、また、建屋内外の搬送路周囲の障害物を避けながら搬送することができる長尺重量物の搬送方法を提供することを目的とする。
【課題を解決するための手段】
【０００６】
前記目的に沿う請求項１記載の長尺重量物の搬送方法は、入口が狭く内部が狭スペースの建屋内に長尺重量物を搬入又は搬出する方法であって、
旋回を含む任意の方向に走行可能な一台の縦長の搬送台車に設けられた旋回台に、前記搬送台車の全長より長い前記長尺重量物を前記旋回台上にその重心位置を合わせて搭載し、前記搬送台車の走行及び前記旋回台の旋回を同時又は交互に制御して、前記建屋及び周囲の障害物を避けながら前記長尺重量物を搬送し、前記旋回台上への前記長尺重量物の搭載及び荷下しには、前記建屋内に外部から進入可能な揚重装置を使用する。
【０００７】
請求項２記載の長尺重量物の搬送方法は、旋回を含む任意の方向に走行可能な一台の縦長の搬送台車と、該搬送台車に設けられ、該搬送台車の全長より長い長尺重量物をその重心位置を合わせて搭載して旋回可能な旋回台とを備えた長尺重量物の搬送装置を使用し、前記搬送台車の走行及び前記旋回台の旋回を同時又は交互に制御して、しかも、前記旋回台上への前記長尺重量物の搭載及び荷下しには、建屋内に外部から侵入可能な揚重装置を使用して、入口が狭く内部が狭スペースの前記建屋内に、周囲の障害物を避けながら前記長尺重量物を搬入又は搬出する長尺重量物の搬送方法であって、
前記搬送台車の走行により、該搬送台車を前記建屋内に進入させ、前記長尺重量物が配置された近傍まで移動する台車進入工程と、
前記揚重装置を前記建屋内に進入させる第１の揚重装置進入工程と、
前記揚重装置により前記長尺重量物を吊り上げて前記旋回台に搭載する長尺物撤去工程と、
前記揚重装置を前記建屋外に退出させる第１の揚重装置退出工程と、
前記搬送台車の走行及び前記旋回台の旋回により、前記長尺重量物を前記建屋外に搬出する長尺物搬出工程とを有する。
【０００８】
請求項３記載の長尺重量物の搬送方法は、請求項２記載の長尺重量物の搬送方法において、前記長尺物搬出工程の後、前記揚重装置により新しい前記長尺重量物を吊り上げて前記旋回台に搭載する長尺物搭載工程と、
前記搬送台車の走行及び前記旋回台の旋回により、新しい前記長尺重量物を前記建屋内に搬入し、該長尺重量物が設置される近傍まで移動する長尺物搬入工程と、
前記揚重装置を前記建屋内に進入させる第２の揚重装置進入工程と、
前記揚重装置により新しい前記長尺重量物を吊り上げて設置位置に荷下しする長尺物設置工程と、
前記揚重装置を前記建屋外に退出させる第２の揚重装置退出工程と、
前記搬送台車の走行により、前記搬送台車を前記建屋外に退出させる台車退出工程とを有する。
【０００９】
請求項４記載の長尺重量物の搬送方法は、旋回を含む任意の方向に走行可能な一台の縦長の搬送台車と、該搬送台車に設けられ、該搬送台車の全長より長い長尺重量物をその重心位置を合わせて搭載して旋回可能な旋回台とを備えた長尺重量物の搬送装置を使用し、前記搬送台車の走行及び前記旋回台の旋回を同時又は交互に制御して、しかも、前記旋回台上への前記長尺重量物の搭載及び荷下しには、建屋内に外部から侵入可能な揚重装置を使用して、入口が狭く内部が狭スペースの前記建屋内に、周囲の障害物を避けながら前記長尺重量物を搬入する長尺重量物の搬送方法であって、
前記揚重装置により前記長尺重量物を吊り上げて前記旋回台に搭載する長尺物搭載工程と、
前記搬送台車の走行及び前記旋回台の旋回により、前記長尺重量物を前記建屋内に搬入し、該長尺重量物が設置される近傍まで移動する長尺物搬入工程と、
前記揚重装置を前記建屋内に進入させる揚重装置進入工程と、
前記揚重装置により前記長尺重量物を吊り上げて設置位置に荷下しする長尺物設置工程と、
前記揚重装置を前記建屋外に退出させる揚重装置退出工程と、
前記搬送台車の走行により、前記搬送台車を前記建屋外に退出させる台車退出工程とを有する。
【発明の効果】
【００１０】
請求項１記載の長尺重量物の搬送方法においては、旋回を含む任意の方向に走行可能な一台の縦長の搬送台車に設けられた旋回台に、搬送台車の全長より長い長尺重量物を旋回台上にその重心位置を合わせて搭載し、搬送台車の走行及び旋回台の旋回を同時又は交互に制御して、建屋及び周囲の障害物を避けながら長尺重量物を搬送することができるので、狭小のスペースの建屋や搬送路でも搬送台車の走行及び長尺重量物の旋回により周囲の障害物を避けながら搬送することができると共に、旋回台上への長尺重量物の搭載及び荷下しには、建屋内に外部から進入可能な揚重装置を使用するので、建屋内に長尺重量物の搭載及び荷下しするハンドリング手段を別途、設けなくて済む。
【００１１】
請求項２及び３記載の長尺重量物の搬送方法においては、長尺重量物の搬送装置を搬送台車の走行により、建屋内に進入させ、長尺重量物が配置された近傍まで移動し、建屋内に進入させた揚重装置により長尺重量物を吊り上げて旋回台に搭載した後、揚重装置を建屋外に退出させ、搬送台車の走行及び旋回台の旋回により、周囲の障害物を避けながら長尺重量物を建屋外に搬出することができるので、狭スペースの建屋内にある長尺重量物を簡単に建屋外に搬出することができる。
【００１２】
特に、請求項３記載の長尺重量物の搬送方法においては、長尺物搬出工程の後、揚重装置により新しい長尺重量物を吊り上げて長尺重量物の搬送装置の旋回台に搭載し、搬送台車の走行及び旋回台の旋回により、周囲の障害物を避けながら新しい長尺重量物を建屋内に搬入して、長尺重量物が設置される近傍まで移動し、建屋内に進入させた揚重装置により新しい長尺重量物を吊り上げて設置位置に荷下しした後、揚重装置を建屋外に退出させ、搬送台車の走行により、搬送装置を建屋外に退出させるので、搬出した既設の長尺重量物の代わりに、建屋外にある新設の長尺重量物を狭スペースの建屋内の容易に搬入して、取り替えることができる。
【００１３】
請求項４記載の長尺重量物の搬送方法においては、揚重装置により長尺重量物を吊り上げて長尺重量物の搬送装置の旋回台に搭載し、搬送台車の走行及び旋回台の旋回により、周囲の障害物を避けながら長尺重量物を建屋内に搬入して、長尺重量物が設置される近傍まで移動し、建屋内に進入させた揚重装置により長尺重量物を吊り上げて設置位置に荷下しした後、揚重装置を建屋外に退出させ、搬送台車の走行により、搬送装置を建屋外に退出させるので、建屋外にある長尺重量物を狭スペースの建屋内に容易に搬入することができる。
【発明を実施するための最良の形態】
【００１４】
続いて、添付した図面を参照しつつ、本発明を具体化した実施の形態につき説明し、本発明の理解に供する。
ここで、図１は本発明の一実施の形態に係る長尺重量物の搬送方法を説明する全体配置図、図２（Ａ）、（Ｂ）はそれぞれ、同長尺重量物の搬送方法に用いる長尺重量物の搬送装置の旋回台に乾燥機が搭載された状態を示す正面図、側断面図、図３は同長尺重量物の搬送方法に用いる長尺重量物の搬送装置の構成図、図４は同長尺重量物の搬送方法に用いる長尺重量物の搬送装置の搬送台車の車輪の配置を示す説明図、図５は同長尺重量物の搬送方法における長尺重量物の搬送装置及び乾燥機の移動工程を示す説明図、図６は建屋内でクレーン車により乾燥機を長尺重量物の搬送装置の旋回台に搭載したり、又は乾燥機を長尺重量物の搬送装置の旋回台から荷下しする作業を示す説明図である。
【００１５】
図１、図２（Ａ）、（Ｂ）及び図３に示すように、本発明の一実施の形態に係る長尺重量物の搬送方法に用いる長尺重量物の搬送装置１０は、例えば、入口１３が狭く内部が狭スペースの建屋１１内に設けられた長尺重量物の一例である乾燥機１２を取り替える際、建屋１１の入口１３を介して乾燥機１２を搬出及び搬入し、しかも、建屋１１内外の周囲の障害物を避けながら、載置された乾燥機１２を旋回し、搬送する装置である。
【００１６】
長尺重量物の搬送装置１０は、旋回を含む任意の方向へ走行（通常の直進走行はもとより、斜め走行、横走行）が可能であり、搭載された乾燥機１２の長さ方向と同じ方向に縦長に構成された一台の搬送台車１４と、搬送台車１４の全長Ｓ（例えば、５〜１５ｍ）より長い乾燥機１２をその重心位置Ｇを合わせて搭載して旋回可能な旋回台１５とを備えている。以下、これらについて詳しく説明する。なお、乾燥機１２は廃棄物処理用のロータリーキルンタイプ長尺で円筒状の重量物（例えば、外径Ｄ＝１．５ｍ以上、長さＬ＝１０ｍ以上、重量Ｗ＝２０トン以上）である。
【００１７】
図３及び図４に詳細に示すように、搬送台車１４は４軸車タイプの台車であり、４本のゴムタイヤを有する８個の車輪、即ち、減速機付きの油圧モータによって個別に駆動される３個の駆動車輪１６〜１８と、５個の非駆動車輪１９〜２３とを備えている。駆動車輪１６〜１８と非駆動車輪１９〜２３はいずれも水平面内で旋回可能な構造となっている。従って、例えば、オペレータが走行モードを選択して、駆動車輪１６〜１８と非駆動車輪１９〜２３すべてが台車長手方向を向くように制御された状態で、駆動車輪１６〜１８を同じ速度で回転させることによって、搬送台車１４を直進走行させることができる。この状態で、オペレータがステアリング操作することによって、搬送台車１４は右方向あるいは左方向に旋回することができる。この場合、旋回中心Ｏを基準とした旋回半径比（＝Ｒ／ｒ）を考慮した各軸の切れ角及び駆動車輪１６〜１８の回転速度は、搬送台車１４に装備されたコンピュータ（図示せず）によって制御される。
【００１８】
また、走行モードを切り替えて、すべての車輪の軸中心が回転中心Ｋを向くように制御された状態で、駆動車輪１６〜１８を回転させることによって、搬送台車１４は回転中心Ｋの回りを旋回することができる。なお、図４中の符号Ｒ′、ｒ′は、回転中心Ｋと車輪の中心との距離を表す。
【００１９】
図２（Ａ）、（Ｂ）及び図３に示すように、搬送台車１４の上端部には平面視して矩形枠状の台車フレーム２４が設けられており、台車フレーム２４はリンク式の油圧サスペンションにより昇降可能に設けられている。搬送台車１４の非駆動車輪２２、２３側の端部には、油圧ユニットや制御手段等を備えたパワーパック２５が着脱可能に設けられている。
【００２０】
非駆動車輪１９、２０側の台車フレーム２４上には、平面視して矩形枠状の固定フレーム２６が固定されており、旋回台１５は、固定フレーム２６に対して旋回ベアリングを介して旋回する円盤状のターンテーブル２７と、ターンテーブル２７上に固定され、乾燥機１２を支持する受台２８とを備えている。旋回台１５を旋回駆動する油圧モータの油圧源はパワーパック２５の油圧ユニットから供給される。一例として、搬送台車１４の車両幅Ｔ＝２５００〜４０００ｍｍ、車両高さＰ＝１０００〜２０００ｍｍであり、旋回台１５の載置高さＵ＝５００〜１０００ｍｍである。
【００２１】
なお、旋回台１５を、固定フレーム２６を介して搬送台車１４の台車フレーム２４に取付ける位置は、以下の考え方で決定されている。即ち、図２（Ａ）に示すように、搬送台車１４の全長Ｓより長い長さＬを有する乾燥機１２の想定重心位置Ｇが旋回台１５の旋回中心Ｑと平面視して一致するように乾燥機１２が旋回台１５に搭載され、しかも、搬送台車１４の走行及び旋回台１５の旋回により、乾燥機１２及び搬送台車１４が周囲の障害物と干渉するのを避けることができ、さらに、搬送台車１４の軸重（輪重）を考慮して決定されている。これによって、干渉のない安定した走行及び旋回が可能である。図１及び図５中の符号２９〜３２は乾燥機１２の処理に関係した処理設備又は処理装置、即ち、乾燥機１２の搬送時の障害物を表している。また、図１中の符号４１は搬送台車１４の搬入路を、符号４４は搬入路４１のコーナー部を、符号４５は搬送台車１４の搬出路を表している。
【００２２】
次いで、本発明の一実施の形態に係る長尺重量物の搬送方法について、長尺重量物の搬送装置１０を用いて行なう乾燥機１２（なお、以下、既設の乾燥機を１２ｕ、新設の乾燥機を１２ｎとする）の取り替え作業を、図１、図５及び図６を参照しながら説明する。
（１）事前の作業
（１−１）搬送台車１４を備えた長尺重量物の搬送装置１０の走行や乾燥機１２を吊り上げる揚重装置の一例であるクレーン車４０を支持するために、移動式小型クレーン車（１０トン）を用いて、建屋１１内の乾燥機１２の設置位置付近及び入口１３付近の建屋１１の内外に床養生用の鉄板を敷設する。なお、クレーン車４０は建屋１１内に外部から進入可能な構造となっている。
【００２３】
（１−２）取り替え作業の障害物（例えば、乾燥機１２の出入口側の階段ステージ、集塵ダクト等）を撤去する。
（１−３）既設の乾燥機１２ｕの周囲に仮設足場を組み立てて、乾燥機１２ｕの付属品（ダクト保温材の一部、ギア、出口側ドレン配管及びスチーム配管、入口側スチーム配管及び架台）を撤去する。
（１−４）搬入路４１の所定の位置にトレーラーにより搬送されてきた新設の乾燥機１２ｎを、クレーン車４０により二組の吊りビーム４２及び吊りワイヤ４３を介して吊り上げて仮置きする。
【００２４】
（１−５）仮置きされた新設の乾燥機１２ｎ付近にて、トレーラーにより搬送されてきた搬送台車１４をクレーン車４０により吊り上げて、搬入路４１の所定の位置に荷下しする。
（１−６）荷下しされた搬送台車１４上に固定フレーム２６を介して旋回台１５をセットして長尺重量物の搬送装置１０を形成する。
【００２５】
（２）既設の乾燥機の撤去及び搬出作業
（２−１）台車進入工程
長尺重量物の搬送装置１０を、建屋１１外のコーナー部４４を含む搬入路４１を経由し、入口１３を通って建屋１１内に進入させ、既設の乾燥機１２ｕが配置された近傍まで移動する。即ち、図５に示すように、建屋１１内外での移動の過程で、長尺重量物の搬送装置１０が周囲の障害物２９〜３２に干渉しないように、搬送台車１４の３個の駆動車輪１６〜１８の回転方向及び回転速度を個別に制御し、搬送台車１４が位置（ｃ）から位置（ｂ）に、さらに位置（ｂ）から最終的に位置（ａ）になるようにする。
【００２６】
（２−２）第１の揚重装置進入工程
クレーン車４０を建屋１１内の所定位置に進入させ、長尺重量物の搬送装置１０及び周囲の障害物２９〜３２を避けてアウトリガーをセットする（図５及び図６参照）。
（２−３）長尺物撤去工程
図６に示すように、クレーン車４０により二組の吊りビーム４２及び吊りワイヤ４３を介して既設の乾燥機１２ｕを吊り上げて長尺重量物の搬送装置１０の旋回台１５に搭載する。この時、図５に示すように、乾燥機１２ｕは位置（Ａ）で、搬送台車１４は位置（ａ）にある。
（２−４）第１の揚重装置退出工程
アウトリガーを元に戻し、クレーン車４０を建屋１１外に退出させる。
【００２７】
（２−５）長尺物搬出工程
搬送台車１４の走行及び旋回台１５の旋回を同時又は交互に制御して、周囲の障害物２９〜３２を避けながら既設の乾燥機１２ｕを建屋１１外に搬出し、搬出路４５側の所定の仮置場まで長尺重量物の搬送装置１０を移動する。具体的には、図５に示すように、長尺重量物の搬送装置１０の搬送台車１４が、位置（ａ）→位置（ｂ）→位置（ｃ）と移動し、旋回台１５に搭載された乾燥機１２ｕは、位置（Ａ）→位置（Ｂ）→位置（Ｃ）と移動する。そして、入口１３を通って建屋１１外に搬出され、搬出路４５を搬送され仮置場付近まで移動する。
（２−６）長尺物取り出し工程
クレーン車４０により二組の吊りビーム４２及び吊りワイヤ４３を介して既設の乾燥機１２ｕを吊り上げて旋回台１５から荷下しし、仮置場に置く。
【００２８】
（３）既設の付属品の撤去作業及び新設の付属品の設置作業
移動式小型クレーン車（１０トン）等を用いて、既設のローラー、ブロワー、ヒーター及び振動コンベアを撤去した後、新設のローラー、ブロワー、ヒーター及び振動コンベアを設置する。
（４）新設の乾燥機の搬入及び設置作業
（４−１）長尺物搭載工程
仮置きされた新設の乾燥機１２ｎをクレーン車４０により二組の吊りビーム４２及び吊りワイヤ４３を介して吊り上げ、新設の乾燥機１２ｎの想定重心位置Ｇがターンテーブル２７の旋回中心Ｑと一致するように旋回台１５に搭載する。
【００２９】
（４−２）長尺物搬入工程
前記（２−５）と同様の要領で、搬送台車１４の走行及び旋回台１５の旋回を同時又は交互に制御して、周囲の障害物２９〜３２を避けて新設の乾燥機１２ｎを、入口１３を通って建屋１１内に搬入し、新設の乾燥機１２ｎが設置される近傍まで移動する。具体的には、図５に示すように、建屋１１内に搬入された長尺重量物の搬送装置１０の搬送台車１４が位置（ｃ）→位置（ｂ）→位置（ａ）と移動するのに伴い、旋回台１５に搭載された乾燥機１２ｎは、位置（Ｃ）→位置（Ｂ）→位置（Ａ）と移動する。
【００３０】
（４−３）第２の揚重装置進入工程
第１の揚重装置進入工程と同様に、クレーン車４０を建屋１１内の所定位置に進入し、長尺重量物の搬送装置１０及び周囲の障害物２９〜３２を避けてアウトリガーをセットする（図５及び図６参照）。
（４−４）長尺物設置工程
クレーン車４０により二組の吊りビーム４２及び吊りワイヤ４３を介して新設の乾燥機１２ｎを吊り上げて設置位置に荷下しする。
【００３１】
（４−５）第２の揚重装置退出工程
第１の揚重装置退出工程と同様に、アウトリガーを元に戻し、クレーン車４０を建屋１１外に退出する。
（４−６）台車退出工程
搬送台車１４の走行により、長尺重量物の搬送装置１０を建屋１１外に退出させる。
【００３２】
（５）事後の作業
（５−１）新設の乾燥機の付属品の取付け作業
新設の乾燥機１２ｎの周囲に仮設足場を組み立てて、乾燥機１２ｎの付属品（ダクト保温材の一部、ギア、出口側ドレン配管及びスチーム配管、入口側スチーム配管及び架台）を取付ける。
（５−２）取り替え作業の障害物（例えば、乾燥機１２ｎの出入口側の階段ステージ、集塵ダクト等）を復旧する。
（５−３）入口１３及び乾燥機１２ｎの設置位置付近の建屋１１の内外に敷設された床養生用の鉄板を、移動式小型クレーン車（１０トン）を用いて撤去、搬出する。
【実施例】
【００３３】
以下の条件で、長尺重量物の搬送装置１０を用いて本発明の一実施の形態に係る長尺重量物の搬送方法を適用した乾燥機１２の取り替え作業を行なうことができた。
長尺重量物の搬送装置１０の搬送台車１４について、車両全長Ｓ＝９９００ｍｍ、車両幅Ｔ＝３３００ｍｍ、車両高さＰ＝１５００ｍｍであり、旋回台１５について、載置高さＵ＝７６２ｍｍであった。
乾燥機１２について、旋回台１５に載置される部位の外径Ｄ＝１８３０ｍｍ、長さＬ＝１７．３ｍ、重量Ｗ＝約３０トンであった。
クレーン車４０について、作業半径Ｖ＝７０００ｍｍで吊上重量は４０トン以下、旋回アーム高さＸ＝１４４００ｍｍであった。
建屋１１の入口１３のサイズは、幅Ｈ＝５５００ｍｍ、高さｈ＝４４５０ｍｍであった。
【００３４】
本発明は前記した実施の形態に限定されるものではなく、本発明の要旨を変更しない範囲での変更は可能であり、例えば、前記したそれぞれの実施の形態や変形例の一部又は全部を組み合わせて本発明の長尺重量物の搬送方法を構成する場合も本発明の権利範囲に含まれる。
前記実施の形態においては、既設の乾燥機を新設の乾燥機と取り替えるために長尺重量物の搬送方法を適用したが、これに限定されず、必要に応じて、既設の乾燥機を撤去するだけ、また、新設の乾燥機を設置するだけのために、この方法を適用することもできる。
【００３５】
搬送台車１４に３個の駆動車輪１６〜１８と、５個の非駆動車輪１９〜２３とを備えたが、これに限定されず、必要に応じて、２又は４個以上の駆動車輪と、２〜５個又は６個以上の非駆動車輪を設けた搬送台車とし、該搬送台車を搬送台車１４と同様に、走行自在にコントロールすることもできる。
搬送台車１４の台車フレーム２４は昇降可能に構成したが、これに限定されず、必要に応じて、昇降しない固定の台車フレームとすることもできる。
長尺重量物として乾燥機を適用したが、これに限定されず、必要に応じて、建屋内に設けられた他の長尺重量物を取り扱うこともできる。
揚重装置としてクレーン車４０を使用したが、これに限定されず、状況に応じて、その他の揚重装置を使用することもできる。
【図面の簡単な説明】
【００３６】
【図１】本発明の一実施の形態に係る長尺重量物の搬送方法を説明する全体配置図である。
【図２】（Ａ）、（Ｂ）はそれぞれ、同長尺重量物の搬送方法に用いる長尺重量物の搬送装置の旋回台に乾燥機が搭載された状態を示す正面図、側断面図である。
【図３】同長尺重量物の搬送方法に用いる長尺重量物の搬送装置の構成図である。
【図４】同長尺重量物の搬送方法に用いる長尺重量物の搬送装置の搬送台車の車輪の配置を示す説明図である。
【図５】同長尺重量物の搬送方法における長尺重量物の搬送装置及び乾燥機の移動工程を示す説明図である。
【図６】建屋内でクレーン車により乾燥機を長尺重量物の搬送装置の旋回台に搭載したり、又は乾燥機を長尺重量物の搬送装置の旋回台から荷下しする作業を示す説明図である。
【符号の説明】
【００３７】
１０：長尺重量物の搬送装置、１１：建屋、１２：乾燥機（長尺重量物）、１３：入口、１４：搬送台車、１５：旋回台、１６〜１８：駆動車輪、１９〜２３：非駆動車輪、２４：台車フレーム、２５：パワーパック、２６：固定フレーム、２７：ターンテーブル、２８：受台、２９〜３２：障害物、４０：クレーン車（揚重装置）、４１：搬入路、４２：吊りビーム、４３：吊りワイヤ、４４：コーナー部、４５：搬出路
【図１】
2005205985.tif 000003
【図２】
2005205985.tif 000004
【図３】
2005205985.tif 000005
【図４】
2005205985.tif 000006
【図５】
2005205985.tif 000007
【図６】
2005205985.tif 000008